(57)【要約】【課題】  各電気機器に発生するイベントや電気機器の状態をユーザに知らせるためのメッセージをモニターに表示するときに、ユーザがテレビ番組への集中を乱すことなく行えるようにする。【解決手段】  少なくともテレビ放送又は動画を表示する表示手段２１５と、表示手段で表示している映像の詳細を示す情報を取得する映像内容データ取得手段２０７と、表示手段で表示する所定の映像と前記メッセージとを共に表示する場合の表示方法を設定するお気に入り設定手段２０８と、前記映像の詳細を示す情報と前記お気に入り設定手段の設定内容とを比較する比較手段２０９と、表示手段に表示する所定の映像が前記お気に入り設定手段での設定と一致した場合、設定内容に応じて少なくともメッセージ表示方法又はメッセージ表示タイミングを変更する変更手段２１１とを有するようにする。【選択図】  図２
2005236777.tif 000002
【特許請求の範囲】
【請求項１】
ネットワークを介して接続された電気機器よって構成され、少なくとも前記各電気機器で起こったイベント又は前記電気機器の状態をメッセージとして発生し、ユーザに通知可能なメッセ−ジ表示システムであって、
テレビ放送を受信するテレビ放送受信手段と、
録画した動画を再生する動画再生手段と、
少なくとも前記テレビ放送又は前記動画を表示する表示手段と、
前記表示手段で表示している映像の詳細を示す情報を取得する映像内容データ取得手段と、
前記表示手段で表示する所定の映像と前記メッセージとを共に表示する場合の表示方法を設定するお気に入り設定手段と、
前記映像の詳細を示す情報と前記お気に入り設定手段の設定内容とを比較する比較手段と、
前記表示手段に表示する所定の映像が前記お気に入り設定手段での設定と一致した場合、前記設定内容に応じて少なくともメッセージ表示方法又はメッセージ表示タイミングを変更する変更手段と
を有することを特徴とするメッセ−ジ表示システム。
【請求項２】
前記映像内容データ取得手段は、前記表示手段で表示する映像から、放送局、チャンネル、番組名、ジャンル、放送時間帯及び映っている人物の情報のうち、少なくともいずれか１つを取得することを特徴とする請求項１に記載のメッセ−ジ表示システム。
【請求項３】
前記変更手段は、前記映像内容データ取得手段で取得した情報に応じて少なくとも前記メッセージ表示方法又は前記メッセージ表示タイミングを変更することを特徴とする請求項１又は２に記載のメッセ−ジ表示システム。
【請求項４】
前記変更手段は、前記メッセージの重要度に基づいて少なくとも前記メッセージ表示方法又は前記メッセージ表示タイミングを変更することを特徴とする請求項１又は２に記載のメッセ−ジ表示システム。
【請求項５】
前記メッセージ表示方法は、少なくとも前記映像内容データ取得手段で取得した情報又は前記メッセージの重要度に応じて選択された全画面表示、テロップ表示及び不表示を含む表示方法であることを特徴とする請求項１〜４のいずれか１項に記載のメッセ−ジ表示システム。
【請求項６】
前記メッセージ表示タイミングは、表示手段で映し出された映像又は番組の終了後にメッセージを表示することを特徴とする請求項１〜５のいずれか１項に記載のメッセ−ジ表示システム。
【請求項７】
前記メッセージ表示タイミングは、表示手段で映し出された映像又は番組途中のコマーシャル時にメッセージを表示することを特徴とする請求項１〜５のいずれか１項に記載のメッセ−ジ表示システム。
【請求項８】
前記メッセージ表示タイミングは、表示手段で映し出された映像又は番組のなかで所定の人物が映らないときにメッセージを表示することを特徴とする請求項１〜５のいずれか１項に記載のメッセ−ジ表示システム。
【請求項９】
前記メッセージ表示方法、前記メッセージ表示タイミングは、画面のキャプチャ印刷指示のような前記表示手段で表示している映像に対して行った指示に関するメッセージの場合、前記設定内容に関わらず前記メッセージ発生直後に当該メッセージの表示を行うことを特徴とする請求項１〜８のいずれか１項に記載のメッセ−ジ表示システム。
【発明の詳細な説明】
【技術分野】
【０００１】
本発明は、ネットワークで接続された各電気機器からユーザへのメッセージを通知するメッセ−ジ表示システムに関する。
【背景技術】
【０００２】
テレビ、パソコン、電話、プリンタ、冷蔵庫などの電気機器を有線または無線によって接続して構成されたネットワークにおいて、それぞれの電気機器に発生するイベントや電気機器の状態をユーザに知らせるためのメッセージは、家庭にある電気機器の中でユーザが最も楽しみながら時間を費やすことが可能なテレビに表示される機会が多くなった。ユーザは、テレビ放送を視聴しているモニターに当該メッセージを表示することによって、瞬時にメッセージを受け取ることが可能になる。
【発明の開示】
【発明が解決しようとする課題】
【０００３】
しかしながら、ドラマや映画などの番組を集中して見たいときに、メッセージが頻繁にモニターに表示されると、ユーザにとってそれが煩わしく感じることがあり、テレビの視聴の集中が乱され、番組に入り込めないという問題が発生している。
【０００４】
本発明は上述の問題点にかんがみてなされたものであり、各電気機器に発生するイベントや電気機器の状態をユーザに知らせるためのメッセージをモニターに表示するときに、ユーザがテレビ番組への集中を乱すことなく行えるようにすることを目的とする。
【課題を解決するための手段】
【０００５】
本発明は上記課題を解決するために、ネットワークを介して接続された電気機器よって構成され、少なくとも前記各電気機器で起こったイベント又は前記電気機器の状態をメッセージとして発生し、ユーザに通知可能なメッセ−ジ表示システムであって、テレビ放送を受信するテレビ放送受信手段と、録画した動画を再生する動画再生手段と、少なくとも前記テレビ放送又は前記動画を表示する表示手段と、前記表示手段で表示している映像の詳細を示す情報を取得する映像内容データ取得手段と、前記表示手段で表示する所定の映像と前記メッセージとを共に表示する場合の表示方法を設定するお気に入り設定手段と、前記映像の詳細を示す情報と前記お気に入り設定手段の設定内容とを比較する比較手段と、前記表示手段に表示する所定の映像が前記お気に入り設定手段での設定と一致した場合、前記設定内容に応じて少なくともメッセージ表示方法又はメッセージ表示タイミングを変更する変更手段とを有することを特徴とするメッセ−ジ表示システム等を提供する。
【発明の効果】
【０００６】
本発明によれば、各電気機器に発生するイベントや電気機器の状態をユーザに知らせるためのメッセージをテレビのモニターに表示するときに、ユーザがテレビ番組への集中を乱すことなく行うことができる。
【発明を実施するための最良の形態】
【０００７】
以下、本発明における実施形態を図面に基づいて説明する。
【０００８】
図１は、本発明の実施形態におけるメッセ−ジ表示システムの概略構成図である。
本実施形態のメッセ−ジ表示システムは、放送局１０１から放送データを受信するデジタルテレビ１０２と、当該デジタルテレビ１０２と有線又は無線で接続された一般的な電気機器であるビデオ１０３、プリンタ１０４、携帯電話１０５、冷蔵庫１０６を含み構成されている。
【０００９】
本実施形態では、ユーザがデジタルテレビ１０２のモニターを見ているときに、デジタルテレビ１０２に接続されている各電気機器、あるいはデジタルテレビ１０２自体において発生したイベントやその機器の状態などをメッセージとして、ユーザにモニター表示する場合に実施される。
【００１０】
図２は、デジタルテレビ１０２のブロック構成図である。
図２に示すテレビ放送データ受信部２０１は、放送局１０１から送られるテレビ放送データを受信し、チューナ部２０３に入力する手段を備えている。録画データ入力部２０２は、ビデオ１０３などでテレビ番組を録画したデジタルデータを入力する手段を備えている。チューナ部２０３は、放送局を選択する手段であり、ユーザインターフェース部２０４で設定されたユーザが視聴希望する放送局からのテレビ放送データを受信するための調整を行ってセレクタ部２０５に出力するものである。
【００１１】
ユーザインターフェース部２０４は、テレビを見るか録画データを見るかの選択手段、テレビを見る場合の選局手段、ユーザがテレビ番組や録画映像を見ている最中にモニター画面にメッセージを通常表示しないためのお気に入り設定入力手段を備えている。お気に入り設定記憶部２０８は、ユーザインターフェース部２０４で入力したお気に入り設定を保存する。
【００１２】
セレクタ部２０５は、ユーザインタ-フェース部２０４によってセレクトしたテレビ放送データ、もしくは録画データを復号部２０６に出力する手段を備えている。復号部２０６は、セレクタ部２０５から受けたテレビ放送データや録画データなどの多重化データを映像データ、音声データ、画像データ、復号中の映像データの詳細を示す映像内容データに分離し、各データを復号する手段を備えている。
【００１３】
映像内容データ取得部２０７は、復号部２０６で映像内容データを復号し更新するたびに、映像内容データを取得する手段を備えている。これにより、ユーザが表示部２１５から映像を視聴している間、絶えず映像の番組ジャンル、番組名、放送時間帯、番組開始／終了時間やＣＭ名、出演者、放送局などの映像内容データを取得できる。
【００１４】
メッセージ処理判断部２０９は、映像内容データ取得部２０７が映像内容データの更新をするたびに、映像内容データとお気に入り設定記憶部２０８で設定された内容と比較し、映像データ処理部２１１にメッセージ表示可情報、メッセージ表示不可情報、メッセージ表示可レベル情報、メッセージ表示方法情報を出力する手段を備えている。また、録画データ再生では、録画データ中に映像と同期したメッセージ表示可情報、メッセージ表示不可情報、メッセージ表示可レベル情報、メッセージ表示方法情報が埋め込まれている場合は、これに従って出力する手段を備える。ここでメッセージの表示タイミングと表示を方法の指示を与えている。
【００１５】
メッセージデータ入力部２１０は、接続された電気機器で発生したイベントや状態を知らせるためのメッセージを構成するメッセージデータを入力する手段を備えている。メッセージデータ出力部２１６は、本実施形態のデジタルテレビ内で発生するイベントや状態を通知するためのメッセ−ジデータを、接続された電気機器に出力するための手段を備えている。
【００１６】
映像データ処理部２１１は、復号部２０６で復号された映像データを表示部２１５に表示するために必要な信号処理手段を備えいている。また、メッセージ処理判断部２０９からメッセージ表示可情報、メッセージ表示可レベル情報、メッセージ表示方法情報を受け取っている間は、メッセージデータ記憶部２１８に表示すべきメッセージデータを受け取り、メッセージ表示方法情報にしたがって映像データとあわせて表示部２１５に表示する。メッセージ処理判断部２０９からメッセージ表示不可情報を受け取っている間は、メッセージを表示部２１５に表示しない手段を備えている。
【００１７】
メッセージデータ記憶部２１８は、接続された電気機器からメッセージデータ入力部２１０によって入力されるメッセージデータや、制御部２１７によって生成されるデジタルテレビからのメッセージデータを記憶するための手段を備えている。また、受け取ったメッセージデータは映像データ処理部２１１で処理し、モニター表示するまで記憶するが、モニター表示したメッセージデータは、順次消去していく手段を備えている。
【００１８】
制御部２１７は、図２の全ブロックの制御を行う手段を備えている。また、本実施形態のデジタルテレビ内で発生するイベントや状態を通知するためのメッセ−ジデータをメッセージデータ記憶部２１８やメッセージデータ出力部２１６に出力する手段を備えている。
音声データ処理部２１２は、復号部２０６で復号された音声データをスピーカ部２１３、２１４へ出力する手段を備えている。
【００１９】
ただし、本実施形態では、外部接続された電気機器との各種データの送受信や入出力は有線、無線を問わずに各種通信方式を適応できる。
【００２０】
図３は、お気に入り設定の設定の内容を示す図である。
お気に入り映像欄３０１が示すパラメータ列では、ユーザがモニター視聴中にメッセージが発生した場合に、メッセージ表示タイミング、メッセージ表示方法を変更したい映像を設定する。
【００２１】
ここで、放送局欄３０２を選択した場合、放送局名又はチャンネルを設定すれば、その放送局又はそのチャンネルからの放送を視聴中の場合にメッセージ表示タイミング、メッセージ表示方法を変更する。また、番組名欄３０３を選択した場合、番組名を設定すれば、その番組を視聴中はメッセージ表示タイミング、メッセージ表示方法を変更する。また、ジャンル欄３０４を選択した場合、番組ジャンルを設定すれば、そのジャンルの番組視聴中は、メッセージ表示タイミング、メッセージ表示方法を変更する。また、時間帯欄３０５を選択した場合、時間帯を設定すれば、その時間帯に視聴中は、メッセージ表示タイミング、メッセージ表示方法を変更する。また、人物欄３０６を選択した場合、人物名を設定すれば、視聴中の映像に設定した人物が登場している間はメッセージ表示タイミング、メッセージ表示方法を変更する。
【００２２】
メッセージの種類欄３０７が示すパラメータ列では、メッセージレベルごとにメッセージ表示タイミング、メッセージ表示方法の変更を設定する。
【００２３】
エラー欄３０８は、接続された電気機器の動作停止エラーや、プリンタからくるデジタルテレビキャプチャ画面の印刷エラーのような重大エラーを通知するエラーレベルメッセ-ジの場合の設定である。お知らせ欄３０９は、Ｅメール受信を通知するようなお知らせレベルメッセージの場合の設定である。すべてのメッセージ欄３１０は、エラーレベルメッセージ、お知らせレベルメッセージなどすべてメッセージレベルに対する設定である。
【００２４】
メッセージ表示タイミング欄３１１が示すパラメータ列では、お気に入り映像欄３０１が示すパラメータ列３０２〜３０６で設定した映像を視聴中に、接続された電気機器でメッセージが発生した場合のメッセージ表示タイミングを設定する。
【００２５】
ここで、番組終了後欄３１２を選択した場合、現在視聴中の番組が終了した後にメッセージを表示する。また、番組途中ＣＭ欄３１３を選択した場合、現在視聴中の番組がＣＭの間にメッセージを表示する。また、人物映像終了後欄３１４を選択した場合、現在視聴中の映像に人物欄３０７で設定した人物が映らない間にメッセージを表示する。何も設定がない場合はメッセージ発生直後欄３１５が選択される。
【００２６】
メッセージ表示方法欄３１６が示すパラメータ列では、メッセージの表示方法を設定する。
【００２７】
ここで、全画面表示欄３１２を選択した場合、メッセージを全画面表示する。また、テロップ表示欄３１８を選択した場合、メッセージをテロップ表示する。また、不表示欄３１９を選択した場合、メッセージを表示しない。
【００２８】
例えば、お気に入り映像３０１としてジャンル欄３０４でドラマを設定、メッセージの種類３０７としてお知らせ３０９を設定、メッセージ表示タイミング３１１として番組終了後３１２を設定、メッセージ表示方法３１６としてテロップ表示３１８を設定したとする。その場合、ドラマを視聴中にお知らせレベルメッセージが発生したら、そのメッセージはドラマの終了後に表示部２１５にテロップ表示する。
【００２９】
このようにユーザは、お気に入り設定することによって、特別な映像視聴中に接続された電気機器からメッセージが発生した場合のメッセージ表示タイミング、メッセージ表示方法を自由に変更できる。また、お気に入り設定のない映像を視聴中の場合は、従来どおり、接続された電気機器からメッセージが発生すると即座に表示部２１５に通常表示する。
【００３０】
図４は、本実施形態のメッセージ表示システムにおいて、各電気機器からのメッセージデータが発生してからモニター表示されるまでの処理のフローチャートである。このフローチャートは本発明に関する部分を主にしている。
【００３１】
まず、ステップＳ４０１では、ユーザがテレビ放送を視聴している又は録画データの再生しているか否かを判断する。この判断の結果、ユーザがテレビ放送を視聴している又は録画データの再生していると判断された場合には、ステップＳ４０２へ進む。一方、ユーザがテレビ放送を視聴している又は録画データの再生していないと判断された場合には、ステップＳ４０１で待機する。
【００３２】
続いて、ステップＳ４０２では、復号部２０６においてテレビ放送データや録画データから映像データ、音声データ画像データ、映像内容データの復号を行う。
【００３３】
続いて、ステップＳ４０３では、映像内容データ取得部において、復号された映像内容データを所得する。録画データ再生の場合は、録画データ中に録画データ用お気に入り設定データが埋め込まれている場合、その録画データ用お気に入り設定データも取得する。
【００３４】
続いて、ステップＳ４０４では、テレビ放送視聴の場合、メッセージ処理判断部２０９においてお気に入り設定記憶部２０８に記憶されたお気に入り設定とテレビ放送データから復号した映像内容データを比較し、メッセージ表示可能であるか否かを判断する。この判断の結果、メッセージ表示可能であると判断された場合には、メッセージ表示可情報、メッセージ表示可レベル情報、メッセージ表示方法情報を出力してステップＳ４０５へ進む。一方、ステップＳ４０４での判断の結果、メッセージ表示不可能と判断された場合には、メッセージ表示不可情報を出力してステップＳ４０８に進む。
【００３５】
また、ステップＳ４０４において、録画データ再生の場合、メッセージ処理判断部２０９において録画データ中に録画データ用お気に入り設定データが埋め込まれていれば、録画データ中にあるお気に入り設定と映像内容データを比較し、メッセージ表示可能であるか否かを判断する。この判断の結果、メッセージ表示可能であると判断された場合には、メッセージ表示可情報、メッセージ表示可レベル情報、メッセージ表示方法情報を出力してステップＳ４０５へ進む。一方、ステップＳ４０４での判断の結果、メッセージ表示不可能と判断された場合には、メッセージ表示不可情報を出力してステップＳ４０８へ進む。
【００３６】
続いて、ステップＳ４０５では、映像データ処理部２１１において、メッセージ表示可情報とメッセージ表示可レベル情報を受け取り、メッセージデータ記憶部２１８に同レベルのメッセージデータがあるか否かを判断する。この判断の結果、同レベルのメッセージデータがあると判断された場合には、ステップＳ４０６に進む。一方、ステップＳ４０５での判断の結果、同レベルのメッセージデータがないと判断された場合には、ステップＳ４０８に進む。
【００３７】
続いて、ステップＳ４０６では、映像データ処理部２１１において、メッセージデータ記憶部２１８からメッセージデータを取り込む。また、取り込まれたメッセージデータはモニター表示されると、メッセージデータ記憶部２１８から削除される。
【００３８】
続いて、ステップＳ４０７では、映像データ処理部２１１において、メッセージデータと映像データが共にモニター表示できるようメッセージ表示方法情報に従ってモニター表示に必要な信号処理を行う。
【００３９】
一方、ステップＳ４０８では、映像データ処理部２１１において、映像データがモニター表示できるよう、モニター表示に必要な信号処理を行う。
【００４０】
続いて、ステップＳ４０９では、表示部２１５において、映像データ処理部２１１で処理された信号をモニター表示する。
【００４１】
以上、本発明の実施形態としてデジタルテレビを例とした場合の説明を行ってきたが、他の形態としては、本発明の構成要素が複数の電気機器によってばらばらに存在し、有線、無線で繋ぐことによって、ネットワーク全体で実施するようにしたシステムにおいても実現可能である。その場合には、複数のモニターが存在する場合も考えられる。この複数のモニターが存在する形態では、お気に入り設定によってあるモニターにメッセージを表示できない場合は、別のモニターにメッセージ表示するという機能も備える。
【図面の簡単な説明】
【００４２】
【図１】本発明の実施形態におけるメッセ−ジ表示システムの概略構成図である。
【図２】デジタルテレビのブロック構成図である。
【図３】お気に入り設定の設定の内容を示す図である。
【図４】本実施形態のメッセージ表示システムにおいて、各電気機器からのメッセージデータが発生してからモニター表示されるまでの処理のフローチャートである。
【符号の説明】
【００４３】
１０１  放送局
１０２  デジタルテレビ
１０３  ビデオ
１０４  プリンタ
１０５  携帯電話
１０６  冷蔵庫
２０１  テレビ放送データ受信部
２０２  録画データ入力部
２０３  チューナ部
２０４  ユーザインターフェース部
２０５  セレクタ部
２０６  復号部
２０７  映像内容データ取得部
２０８  お気に入り設定記憶部
２０９  メッセージ処理判断部
２１０  メッセージデータ入力部
２１１  映像データ処理部
２１２  音声データ処理部
２１３、２１４  スピーカ部
２１５  表示部
２１６  メッセージデータ出力部
２１７  制御部
２１８  メッセージデータ記憶部
３０１  お気に入り映像欄
３０２  放送局欄
３０３  番組名欄
３０４  ジャンル欄
３０５  時間帯欄
３０６  人物欄
３０７  メッセージの種類欄
３０８  エラー欄
３０９  お知らせ欄
３１０  すべてのメッセージ欄
３１１  メッセージ表示タイミング欄
３１２  番組終了後欄
３１３  番組途中ＣＭ欄
３１４  人物映像終了後欄
３１５  メッセージ発生直後欄
３１６  メッセージ表示方法欄
３１７  全画面表示欄
３１８  テロップ表示欄
３１９  無表示欄
【図１】
2005236777.tif 000003
【図２】
2005236777.tif 000004
【図３】
2005236777.tif 000005
【図４】
2005236777.tif 000006